(57)【要約】【課題】口頸部の外周面には雄螺条及びこの雄螺条の下方に位置する係止あご部が形成されている容器に適用され、容器の口頸部を開封した後においても容器蓋の全体が容器の口頸部から分離されることがない、本体とタンパーエビデント裾部とを含む合成樹脂製容器蓋を改良して、容器蓋の軸線方向長さが比較的短い場合でも、口頸部から離脱された本体が所要開位置まで旋回されると、本体はかかる開位置に充分確実に維持され、そしてまた本体が開位置に旋回される際には消費者が聴取することができる音が充分確実に発生されるようになす。【解決手段】  少なくとも本体のスカート壁に形成されている突出片が存在する角度領域において、タンパーエビデント裾部に形成されている係止片には延出部を形成されている。口頸部に合成樹脂製容器蓋を装着した状態においては、上記延出部が口頸部の係止あご部とタンパーエビデント裾部との間に位置する。【選択図】  図４
2020132181.tif 000002
【特許請求の範囲】
【請求項１】
口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断橋絡部を介して該本体の該スカート壁に接続され、内周面には該係止あご部に係止せしめられる係止手段が配設されている筒状タンパーエビデント裾部とを含み、該係止手段は周方向に間隔をおいて配設され且つ該タンパーエビデント裾部に接続された基端から上方及び半径方向内方に延出する複数個の係止片又は周方向に連続して延在し且つ該タンパーエビデント裾部に接続された基端から上方及び半径方向内方に延出する環状の係止片から構成されており、該本体の該スカート壁には下方に突出する突出片が配設されており、そして更に該本体のスカート壁と該タンパーエビデント裾部とを接続し且つ該タンパーエビデント裾部に対する該本体の上方への移動を許容する非破断接続片が配設されている合成樹脂製容器蓋において、
少なくとも該突出片が存在する角度領域において、該係止片には該口頸部に合成樹脂製容器蓋を装着した状態において該口頸部の該係止あご部と該タンパーエビデント裾部との間に位置する延出部が形成されている、ことを特徴とする合成樹脂製容器蓋。
【請求項２】
該係止片の半径方向内側面には、該口頸部に合成樹脂製容器蓋を装着した状態において、該係止あご部の下方において半径方向内方に突出する係止突起が形成されている形態である、請求項１記載の合成樹脂製容器蓋。
【請求項３】
該延出部は該突出片が存在する角度領域以外においても形成されている、請求項１又は２記載の合成樹脂製容器蓋。
【請求項４】
該係止手段は周方向に間隔をおいて配設され且つ該タンパーエビデント裾部に接続された基端から上方及び半径方向内方に延出する複数個の係止片から構成されており、該延出部は該係止片の各々の周方向両側部に夫々形成されている、請求項１から３までのいずれかに記載の合成樹脂製容器蓋。
【請求項５】
該延出部の各々の半径方向外側面は、上方に向かって漸次半径方向外方に突出し、次いで上方に向かって漸次半径方向内方に後退する、請求項１から４までのいずれかに記載の合成樹脂製容器蓋。
【請求項６】
該延出部の各々の半径方向外側面における、上方に向かって漸次半径方向外方に突出する部位は縦断面において円弧状であり、上方に向かって漸次半径方向内方に後退する部位は縦断面において直線状である、請求項５記載の合成樹脂製容器蓋。
【発明の詳細な説明】
【技術分野】
【０００１】
本発明は、口頸部の外周面には雄螺条及びこの雄螺条の下方に位置する係止あご部が形成されている容器に適用され、容器の口頸部を開封した後においても容器蓋の全体が容器の口頸部から分離されることがない、タンパーエビデント特性を備えた合成樹脂製容器蓋に関する。
【背景技術】
【０００２】
口頸部の外周面には雄螺条及びこの雄螺条の下方に位置する係止あご部が形成されている容器に適用される合成樹脂製容器蓋として、下記特許文献１乃至３には、天面壁及びこの天面壁の周縁から垂下する筒状スカート壁を有し、スカート壁の内周面には口頸部の雄螺条に螺合せしめられる雌螺条が形成されている本体と、周方向に間隔をおいて配設された複数個の破断橋絡部を介して該本体の該スカート壁に接続され、内周面には係止あご部に係止せしめられる係止手段が配設されている筒状タンパーエビデント裾部と、を含む形態の合成樹脂製容器蓋が開示されている。係止手段は周方向に間隔をおいて配設され且つタンパーエビデント裾部に接続された基端から上方及び半径方向内方に延出する複数個の係止片又は周方向に連続して延在し且つタンパーエビデント裾部に接続された基端から上方及び半径方向内方に延出する１個の係止片から構成されている。更に、本体のスカート壁には下方に突出する突出片が配設されており、突出片の周方向片側又は両側には、本体のスカート壁とタンパーエビデント裾部とを接続し且つタンパーエビデント裾部に対する本体の上方への移動を許容する非破断接続片が配設されている。
【０００３】
上記のとおりの容器蓋を容器の口頸部に装着して口頸部を密封する際には、口頸部に容器蓋を被嵌して閉方向に回転し、容器蓋の雌螺条を口頸部の雄螺条に螺合せしめる。螺合の進行に応じて口頸部に対して容器蓋が下降され、タンパーエビデント裾部に形成されている係止手段は口頸部の係止あご部を弾性的に乗り越えてその下方に位置せしめられる。口頸部を開封する際には、容器蓋を開方向に回転せしめて口頸部の雄螺条と容器蓋の雌螺条との螺合を解除する。螺合の解除に応じて容器蓋の本体は口頸部に対して上昇されるが、タンパーエビデント裾部は係止手段が口頸部の係止あご部に係止することによって上昇が阻止され、従って破断橋絡部に応力が生成され破断橋絡部が破断される。破断橋絡部が破断された後に本体が上昇を続け、タンパーエビデント裾部から本体が上方に離隔されると、これに応じて非破断接続部が変形せしめられるが、非破断接続部が破断されることはなくタンパーエビデント裾部は口頸部に装着され続け、本体が口頸部から離脱された後においても本体は非破断接続部を介してタンパーエビデント裾部に接続させ続け、従って容器の口頸部から分離されることはない。容器蓋の本体が口頸部から離脱された後においては、非破断接続部の所定部位を旋回中心として容器蓋の本体が口頸部から離隔する方向に旋回される。そして、容器蓋の本体が所定角度を超えて旋回されると、スカート壁に形成されている突出片の先端部が口頸部の係止あご部を弾性的に乗り越えて係止あご部の上面側に位置し、これによって本体が口頸部に接近する方向に戻ることが阻止され、本体は口頸部から離隔した位置に保持され、口頸部が開封された状態に維持させる。突出片の先端部が係止あご部を弾性的に乗り越える際には、突出片が弾性的に変形し次いで弾性的に復元することに起因して音が発生され、これによって消費者は容器蓋の本体が所要開位置まで旋回されたことを認識することができる。
【先行技術文献】
【特許文献】
【０００４】
【特許文献１】特開２０１０−１８２９０号公報
【特許文献２】特開２０１２−７６７７１号公報
【特許文献３】特開２０１４−３１２０２号公報
【発明の概要】
【発明が解決しようとする課題】
【０００５】
而して、近時における環境問題及び材料コスト削減の観点から包装容器の軽量化が要請され、容器蓋においても薄肉化と共に軸線方向寸法の低減が要請されている状況において、本発明者等の経験によれば、上記のとおりの従来の容器蓋には、特に口頸部の軸線方向長さが比較的短く、これに応じて容器蓋の軸線方向寸法が比較的短い（即ち上下方向高さは比較的低い）場合、口頸部を開封するために口頸部から離脱された本体を口頸部から離隔する方向に旋回し、これによって突出片の先端部が口頸部の係止あご部を弾性的に乗り越えて係止あご部の上側に位置する際に、容器蓋の軸線方向寸法が比較的短いことに起因して突出片の延出長さも比較的短くなってしまう故に、突出片と係止あご部との相互干渉量が過小になり、（１）突出片の先端部が一旦係止あご部の上側になった後に偶発的に突出片の先端部が係止あご部の下側に戻ってしまって本体が所要開位置に維持されない傾向がある、（２）突出片が係止あご部を弾性的に乗り越える際の音の発生が不充分で消費者は本体が所要開位置まで旋回されたことを認識することができないことが少なくない、という解決すべき問題があることが判明している。
【０００６】
本発明は、上記事実に鑑みてなされたものであり、その主たる技術的課題は、容器蓋の軸線方向長さが比較的短い場合でも、口頸部から離脱された本体が所要開位置まで旋回されると、本体はかかる開位置に充分確実に維持され、そしてまた本体が開位置に旋回される際には消費者が聴取することができる音が充分確実に発生される、新規且つ改良された容器蓋を提供することである。
【課題を解決するための手段】
【０００７】
本発明者等は、鋭意検討を重ねた結果、少なくとも突出片が存在する角度領域において、口頸部に合成樹脂製容器蓋を装着した状態において口頸部の係止あご部とタンパーエビデント裾部との間に位置する延出部を係止片に形成することによって、主たる技術的課題を達成することができることを見出した。
【０００８】
即ち、本発明によれば、上記主たる技術的課題を達成する容器蓋として、
口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断橋絡部を介して該本体の該スカート壁に接続され、内周面には該係止あご部に係止せしめられる係止手段が配設されている筒状タンパーエビデント裾部とを含み、該係止手段は周方向に間隔をおいて配設され且つ該タンパーエビデント裾部に接続された基端から上方及び半径方向内方に延出する複数個の係止片又は周方向に連続して延在し且つ該タンパーエビデント裾部に接続された基端から上方及び半径方向内方に延出する環状の係止片から構成されており、該本体の該スカート壁には下方に突出する突出片が配設されており、そして更に該本体のスカート壁と該タンパーエビデント裾部とを接続し且つ該タンパーエビデント裾部に対する該本体の上方への移動を許容する非破断接続片が配設されている合成樹脂製容器蓋において、
少なくとも該突出片が存在する角度領域において、該係止片には該口頸部に合成樹脂製容器蓋を装着した状態において該口頸部の該係止あご部と該タンパーエビデント裾部との間に位置する延出部が形成されている、ことを特徴とする合成樹脂製容器蓋が提供される。
【０００９】
好ましくは、該係止片の半径方向内側面には、該口頸部に合成樹脂製容器蓋を装着した状態において、該係止あご部の下方において半径方向内方に突出する係止突起が形成されている形態である。該延出部は該突出片が存在する角度領域以外においても形成されているのが好適である。該係止手段は周方向に間隔をおいて配設され且つ該タンパーエビデント裾部に接続された基端から上方及び半径方向内方に延出する複数個の係止片から構成されており、該延出部は該係止片の各々の周方向両側部に夫々形成されているのが望ましい。該延出部の各々の半径方向外側面は、上方に向かって漸次半径方向外方に突出し、次いで上方に向かって漸次半径方向内方に後退するのが好適である。特に、該延出部の各々の半径方向外側面における、上方に向かって漸次半径方向外方に突出する部位は縦断面において円弧状であり、上方に向かって漸次半径方向内方に後退する部位は縦断面において直線状であるのが好適である。
【発明の効果】
【００１０】
本発明の容器蓋においては、突出片が存在する角度領域において、係止片には口頸部に合成樹脂製容器蓋を装着した状態において口頸部の係止あご部とタンパーエビデント裾部との間に位置する延出部が形成されており、口頸部から離脱された本体が口頸部から離隔する方向に旋回される際には、突出片の先端部は口頸部の係止あご部と共にその半径方向外側に位置する延出部を弾性的に乗り越えることが必要であり、突出片の先端部は延出部によって干渉される。容器蓋の軸線方向長さが比較的短い場合でも、突出片の先端部と延出部の干渉が過小になることはなく、それ故に突出片の先端部が一旦係止あご部の上側になった後に偶発的に突出片の先端部が係止あご部の下側に戻ってしまうことが充分確実に防止され、容器蓋は所要開位置に充分確実に維持され、そしてまた、突出片が延出部を弾性的に乗り越える際には消費者が聴取することができる音が確実に発生される。
【図面の簡単な説明】
【００１１】
【図１】本発明に従って構成された構成された容器蓋の好適実施形態を示す正面図。
【図２】図１に示す容器蓋の一部を断面で示す正面図。
【図３】図１に示す容器蓋の底面図。
【図４】図１に示す容器蓋を容器の口頸部に装着した状態を、一部を断面で示す正面図。
【図５】図１の容器蓋の本体を容器の口頸部から離脱せしめるために本体を開方向に回転せしめて上昇せしめた開封操作中間状態を示す正面図。
【図６】図１の容器蓋の本体を、口頸部から離脱した後に口頸部から離隔する方向に幾分か旋回せしめた状態を、一部を切り欠いて示す側面図。
【図７】図１の容器蓋の本体を容器の口頸部から離脱した後に口頸部から離隔する方向に所定開位置まで旋回した状態を、一部を切り欠いて示す側面図。
【図８】図７における突出片近傍の拡大図。
【発明を実施するための形態】
【００１２】
以下、添付図面を参照して、本発明に従って構成された合成樹脂製容器蓋の好適実施形態について、更に詳述する。
【００１３】
本発明に従って構成された合成樹脂製容器蓋の好適実施形態を図示している図１乃至図３を参照して説明すると、ポリエチレン又はポリプロピレンの如き適宜の合成樹脂から射出成形又は圧縮成形によって好都合に一体成形することができる、全体を番号２で示す容器蓋は、本体４とタンパーエビデント裾部６とを含んでいる。本体４は円形天面壁８とこの天面壁８の周縁から垂下する円筒形状のスカート壁１０を有する。天面壁８の内面には２条のシール突条、即ち内側環状突条１２及び外側環状突条１４が形成されている。スカート壁１０の外周面にはそこに掛けられる指の滑りを防止するための凹凸１６が繰り返し形成されている。スカート壁１０の内周面には雌螺条１８が形成されている。この雌螺条１８には周方向に間隔をおいて切欠２０が形成されている。タンパーエビデント裾部６は全体として円筒形状であり、後述する破断橋絡部及び一対の非破断接続片を介して本体４のスカート壁１０に接続されている。タンパーエビデント裾部６の内周面には係止手段２２が配設されている。図示の実施形態において、係止手段２２は周方向に間隔をおいて形成された９個の弧状係止片２４ａ乃至２４ｉから構成されている。弧状係止片２４ａ乃至２４ｉの各々は、タンパーエビデント裾部６の内周面に接続された基端から軸線方向上方及び半径方向内方に延出せしめられている。図示の実施形態において係止手段２２は周方向に間隔を置いて配設された９個の弧状係止片２４ａ乃至２４ｉから構成されているが、所望ならば周方向に連続して延在しタンパーエビデント裾部６の内周面に接続された基端から軸線方向上方及び半径方向内方に延出する環状の係止片から係止手段２２を構成することもできる。
【００１４】
本発明に従って構成された容器蓋２においては、少なくとも後述する突出片３４が形成されている領域において、係止片２４ａ乃至２４ｉの先端から延出する延出部２６が形成されていることが重要である。図示の実施形態においては、係止片２４ａ乃至２４ｉの各々において、周方向両側部から延出する矩形状の２個の延出部２６が形成されている。図２及び図３と共に図８を参照することによって明確に理解されるとおり、延出部２６の各々の半径方向外側面は、上方に向かって漸次半径方向外側に突出し、次いで上方に向かって漸次半径方向内方に後退しているのが好ましい。そして更に、上方に向かって漸次半径方向外側に突出する部位２６ａは縦断面図において円弧状であり、上方に向かって漸次半径方向内側に後退する部位２６ｂは、後に更に言及する如く突出片３４が部位２６ｂと協働して容器蓋２を所要開位置に確実に維持する観点から、縦断面図において直線状であるのが、殊に好ましい。延出部２６の各々の半径方向内側面は平坦な面でよい。係止片２４ａ乃至２４ｉの各々の主部、即ち延出部２６以外の部位の半径方向内側面には、半径方向内側に突出する係止突起２８が形成されているのが望ましい。かかる係止突起２８は上方に向かって漸次突出量が増大し、上面は実質上水平に延在するのが好適である。係止突起２８の各々は係止片２４ａ乃至２４ｉの各々における周方向中央部、即ち上記延出部２６が存在しない部分に形成されている。所望ならば、係止片２４ａ乃至２４ｉの各々の周方向全体に渡って係止突起２８を形成することもできる。
【００１５】
図１乃至図３を参照して説明を続けると、番号３０で示す特定領域において、本体４のスカート壁１０の下端縁は他の領域の下端縁よりも上方に変位せしめられており、またタンパーエビデント裾部６の上端縁は他の領域の上端縁よりも下方に変位せしめられており、スカート壁１０とタンパーエビデント裾部６との間には正面図において横長に延びる開口３２が生成されている。開口３２の周方向中央部において、スカート壁１０にはその下端から下方に突出する略矩形状の突出片３４が形成されている。図１と共に図８を参照することによって明確に理解される如く、突出片３４は実質上垂直に垂下している。突出片３４に対応して、タンパーエビデント裾部６には突出片３４の突出端部を受け入れる、上方に開放した切欠３６が形成されている。
【００１６】
図１及び図２に明確に図示するとおり、上記特定領域３０においては、上記突出片３４に隣接してその周方向両側に一対の非破断接続片３８ａ及び３８ｂが配設されている。図示の実施形態における非破断接続片３８ａは、スカート壁１０の下端縁に接続された上端部４０ａ、この上端部４０ａに続いて周方向片側（図１及び図２において右側）に実質上水平に延びる第一の傾動部４２ａ、中間部４４ａ、中間部４４ａに続いて第一の傾動部４２ａの下方を周方向他側（図１及び図２において左側）に実質上水平に延びてタンパーエビデント裾部６に接続されている第二の傾動部４６ａから構成されている。非破断接続片３８ｂも、スカート壁１０の下端縁に接続された上端部４０ｂ、この上端部４０ｂに続いて周方向片側（図１及び図２において左側）に実質上水平に延びる第一の傾動部４２ｂ、中間部４４ｂ、中間部４４ｂに続いて第一の傾動部４２ｂの下方を周方向他側（図１及び図２において右側）に実質上水平に延びてタンパーエビデント裾部６に接続されている第二の傾動部４６ｂから構成されている。所望ならば、非破断接続片３８ａにおける第一の傾動部４２ａ及び第二の傾動部４６ａ並びに非破断接続片３８ｂにおける第一の傾動部４２ｂ及び第二の傾動部４６ｂを実質上水平ではなく所定方向に傾斜せしめることもできる。図１を参照することによって明確に理解される如く、非破断接続片３８ａと非破断接続片３８ｂとは線対称ではなく構成要素の周方向寸法が幾分相違せしめられている（この理由については上記特許文献２の記載を参照されたい）。
【００１７】
番号３０で示す特定領域即ち突出片３４並びに一対の非破断接続片３６ａ及び３６ｂが存在する領域以外の領域においては、タンパーエビデント裾部６を本体４のスカート壁１０の下端に接続する複数個の破断橋絡部４８が周方向に間隔をおいて複数個配設されている。図示の実施形態においては、スカート壁１０の内面及びタンパーエビデント裾部６の内面に渡って軸線方向に延びる幅狭突条が周方向に間隔を置いて６個形成されており、かかる幅狭突条におけるスカート壁１０とタンパーエビデント裾部６との間に位置する部分が破断橋絡部４８を構成している（図２を参照されたい）。所望ならば、一対の非破断接続片３８ａ及び３８ｂが存在する領域においても、例えば第一の傾動部４２ａ及び４２ｂとスカート壁１０との間或いは第二の傾動部４６ａ及び４６ｂとタンパーエビデント裾部６との間に或いは突出片３４とタンパーエビデント裾部６との間に破断橋絡部を配設することもできる。
【００１８】
図４には、容器蓋２と共に容器の口頸部５０も図示されている。ポリエチレンテレフタレートの如き適宜の合成樹脂或いはガラスから形成することができる容器の口頸部５０は全体として円筒形状であり、その上面は開口されている。口頸部５０の外周面には、雄螺条５２とこの雄螺条５２の下方に位置する係止あご部５４が形成されている。
【００１９】
口頸部５０に容器蓋２を装着して口頸部５０を密封する際には、口頸部５０に容器蓋２を被嵌して閉方向（図４において上方から見て時計方向）に回転せしめ、口頸部５０の雄螺条５２に容器蓋２の雌螺条１８を螺合せしめる。雄螺条５２に対する雌螺条１８の螺合の進行に応じて容器蓋２は口頸部５０に対して漸次下降する。図４に図示する状態まで口頸部５０に対して容器蓋２が下降せしめられると、容器蓋２の本体４における天面壁８の内面に形成されている内側環状突条１２及び外側環状突条１４が夫々口頸部５２の内周面及び外周面に密接せしめられ、これによって口頸部５０が密封される。容器蓋２のタンパーエビデント裾部６の内周面に配設されている係止片２４ａ乃至２４ｉの各々における主部即ち延出部２６以外の部分は、弾性的に変形して口頸部５０の係止あご部５４よりも下方に位置し、半径方向内側面に形成されている係止突起２８の上面は係止あご部５４の下面に対向して位置する。一方、係止片２４ａ乃至２４ｉの各々における延出部２６は、本体４のスカート壁１０と口頸部５０の係止あご部５４との間に位置し、スカート壁１０の内周面と係止あご部５４の外周面との間に位置している。
【００２０】
口頸部５０を開封する際には、容器蓋２を開方向（図４において上方から見て反時計方向）に回転せしめ、口頸部５０の雄螺条５２に対する容器蓋２の雌螺条１８の螺合を漸次解除する。螺合を漸次解除すると容器蓋２の本体４は開方向に回転せしめられると共に上昇せしめられるが、タンパーエビデント裾部６は係止片２４ａ乃至２４ｉの係止突起２８の上面が口頸部５０の係止あご部５４の下面に係止して上昇が阻止され、これに起因して破断橋絡部４８に相当な応力が生成され、破断橋絡部４８が破断される。しかる後においては、容器蓋２の本体４は開方向への回転と共に上昇し、タンパーエビデント裾部６から上方に漸次離間せしめられる。図４と共に図５を参照することによって明確に理解される如く、タンパーエビデント裾部６から本体４が漸次上方に離間せしめられると、非破断接続片３８ａの第一の傾動部４２ａ及び非破断接続片３８ｂの第二の傾動部４６ｂは夫々の中間部４４ａ及び第二の傾動部４６ｂの下端を中心として図４及び図５において時計方向に旋回、即ち時計方向に傾動され、一方非破断接続片３８ａの第二の傾動片４６ａ及び非破断接続片３８ｂの第一の傾動部４２ｂは夫々の下端及び上端を中心として図４及び図５において反時計方向に旋回、即ち反時計方向に傾動され、これに応じて非破断接続片３８ａ及び３８ｂにおける第一の傾動部４２ａ及び４２ｂ並びに第二の傾動部４６ａ及び４６ｂの鉛直線に対する傾斜角度が漸次低減される。図４及び図５と共に図６を参照することによって明確に理解される如く、口頸部５２の雄螺条５４に対する容器蓋２の雌螺条１８の螺合が完全に解除されると、容器蓋２の本体４は口頸部５２から離脱される。しかしながら、本体４は非破断接続片３８ａ及び３８ｂを介して、口頸部５０に装着され続けているタンパーエビデント裾部６に接続され続けている故に、容器の口頸部５０から離間されることはない。
【００２１】
容器蓋２の本体４が口頸部５０から離脱された後においては、非破断接続片３８ａ及び３８ｂの中間部４４ａ及び４４ｂを旋回支点として本体４を口頸部５２から遠ざかる方向（図５及び図６において時計方向）に旋回する。この際、図６及び図７に示すとおり、突出片３４は、その延出端が係止片２４ａ及び２４ｉの片側部（係止片２４ａにおいては図３において右側部、係止片２４ｉにおいては図３において右側部）に当接し、弾性的に変形して係止片２４ａ及び２４ｉの外側面に沿って上昇し、次いで係止片２４ａ及び２４ｉの延出部２６（係止片２４ａにおいては図３において左側の延出部２６、係止片２４ｉにおいては図３において右側の延出部２６）の外側面における円弧状の部位２６ａに沿って上昇する。しかる後に、突出片３２は延出部２６の円弧状の部位２６ａを乗り越え、図７及び図８に図示する如く、弾性的に復元して外側面が延出部２６の直線状の部位２６ｂに面接触状態で当接せしめられる。かくして容器蓋２の本体４は図７及び図８に図示する開位置に確実に保持される。また、突出片３４が延出部２６の円弧状の部位２６ａを乗り越えて弾性的に復元される際には音が生成される。本発明に従って構成された容器蓋２においては、本体４の突出片３４は口頸部５０の係止あご部５４に直接的に作用するのではなくて、口頸部５０の係止あご部５４の外側に位置する係止片２４ａ及び２４ｉの延出部２６に作用するので、開位置まで旋回された本体４は確実に開位置に保持される。突出片３４が偶発的に延出部２６の直線状の部位２６ｂを乗り越え、本体４が図７及び図６において反時計方向に旋回されてしまうことはない。また、突出片３２が延出部２６の円弧状の部位２６ａを乗り越えて弾性的に復元する際には充分に大きく消費者が聴取することができる音が生成される。
【００２２】
内容物の飲食を途中で中断した場合には、図７に図示する位置に保持されている本体４を口頸部５２に接近する方向（図６及び７図７において反時計方向）に強制的に旋回せしめて再び口頸部５０に被嵌し、そして容器蓋２を閉方向に回転せしめて口頸部５０の雄螺条５２に容器蓋２の雌螺条１８を螺合せしめ、かくして容器蓋２を再び図４に図示する状態に位置せしめ、口頸部５０を仮密封することができる。
【００２３】
以上、添付図面を参照して本発明に従って構成された容器蓋の好適実施形態について詳細に説明したが、本発明はかかる実施形態に限定されるものではなく、本発明の範囲を逸脱することなく種々の変形乃至修正が可能であることは多言を要しない。例えば、図示の実施形態においては、係止片２４ａ乃至２４ｉの各々の周方向両側部に延出部２６を形成しているが、係止片２４ａ乃至２４ｉの各々の適宜の部位（例えば中央部或いは周方向に間隔をおいた複数個の部位）に１個或いは３個以上の延出部を形成することもでき、所望ならば係止片２４ａ乃至２４ｉの周方向幅と実質上同一の幅を有する１個の延出部を形成することもできる。また、図示の実施形態においては、係止片２４ａ乃至２４ｉの各々に延出部２６を形成しているが、所望ならば特定の複数個の係止片のみに或いは突出片３４が存在する角度領域に配置された係止片のみに延出部を形成することもできる。そしてまた、図示の実施形態においては、突出片３４が存在する角度領域に２個の係止片２４ａ及び２４ｉが存在するが、突出片３４が存在する角度領域に１個の係止片のみが存在する形態にして、かかる１個の係止片のみに延出部を形成することもできる。係止片が周方向に連続して延びる環状である場合も、突出片３４が存在する角度領域に１個又は複数個の延出部を形成し、突出片３４が存在する角度領域のみならずその他の角度領域にも渡って周方向に間隔をおいて複数個の延出部を形成し、或いは周方向に連続して延在する環状の延出部を形成することができる。更に、図示の実施形態においては、突出片３４は単一片から構成されているが、複数個の片から突出片を構成することもでき、また単一片の突出端（下端）から基端（上端）に向かって延びる１個又は複数個のスリットを形成して複数個の部分に分割することもできる。また、図示の実施形態においては、突出片３４の周方向両側に位置する２個の非破断接続片３８ａ及び３８ｂが配設されているが、１個或いは３個以上の被破断接続片を配設することもできる。
【符号の説明】
【００２４】
２：容器蓋
４：本体
６：タンパーエビデント裾部
８：天面壁
１０：スカート壁
１８：雌螺条
２２：係止手段
２４ａ：係止片
２４ｂ：係止片
２４ｃ：係止片
２４ｄ：係止片
２４ｅ：係止片
２４ｆ：係止片
２４ｇ：係止片
２４ｈ：係止片
２４ｉ：係止片
２６：延出部
３２：突出片
３８ａ：非破断接続片
３８ｂ：非破断接続片
４８：破断橋絡部
５０：口頸部
５２：雄螺条
５４：係止あご部
【図１】
2020132181.tif 000003
【図２】
2020132181.tif 000004
【図３】
2020132181.tif 000005
【図４】
2020132181.tif 000006
【図５】
2020132181.tif 000007
【図６】
2020132181.tif 000008
【図７】
2020132181.tif 000009
【図８】
2020132181.tif 000010
【手続補正書】
【提出日】令和2年1月7日(2020.1.7)
【手続補正１】
【補正対象書類名】特許請求の範囲
【補正対象項目名】請求項２
【補正方法】変更
【補正の内容】
【請求項２】
該係止片の半径方向内側面には、該口頸部に合成樹脂製容器蓋を装着した状態において、該係止あご部の下方において半径方向内方に突出する係止突起が形成されている、請求項１記載の合成樹脂製容器蓋。
【手続補正２】
【補正対象書類名】明細書
【補正対象項目名】０００９
【補正方法】変更
【補正の内容】
【０００９】
好ましくは、該係止片の半径方向内側面には、該口頸部に合成樹脂製容器蓋を装着した状態において、該係止あご部の下方において半径方向内方に突出する係止突起が形成されている。該延出部は該突出片が存在する角度領域以外においても形成されているのが好適である。該係止手段は周方向に間隔をおいて配設され且つ該タンパーエビデント裾部に接続された基端から上方及び半径方向内方に延出する複数個の係止片から構成されており、該延出部は該係止片の各々の周方向両側部に夫々形成されているのが望ましい。該延出部の各々の半径方向外側面は、上方に向かって漸次半径方向外方に突出し、次いで上方に向かって漸次半径方向内方に後退するのが好適である。特に、該延出部の各々の半径方向外側面における、上方に向かって漸次半径方向外方に突出する部位は縦断面において円弧状であり、上方に向かって漸次半径方向内方に後退する部位は縦断面において直線状であるのが好適である。
【手続補正３】
【補正対象書類名】明細書
【補正対象項目名】００１７
【補正方法】変更
【補正の内容】
【００１７】
番号３０で示す特定領域即ち突出片３４並びに一対の非破断接続片３８ａ及び３８ｂが存在する領域以外の領域においては、タンパーエビデント裾部６を本体４のスカート壁１０の下端に接続する複数個の破断橋絡部４８が周方向に間隔をおいて複数個配設されている。図示の実施形態においては、スカート壁１０の内面及びタンパーエビデント裾部６の内面に渡って軸線方向に延びる幅狭突条が周方向に間隔を置いて６個形成されており、かかる幅狭突条におけるスカート壁１０とタンパーエビデント裾部６との間に位置する部分が破断橋絡部４８を構成している（図２を参照されたい）。所望ならば、一対の非破断接続片３８ａ及び３８ｂが存在する領域においても、例えば第一の傾動部４２ａ及び４２ｂとスカート壁１０との間或いは第二の傾動部４６ａ及び４６ｂとタンパーエビデント裾部６との間に或いは突出片３４とタンパーエビデント裾部６との間に破断橋絡部を配設することもできる。
【手続補正４】
【補正対象書類名】明細書
【補正対象項目名】００１９
【補正方法】変更
【補正の内容】
【００１９】
口頸部５０に容器蓋２を装着して口頸部５０を密封する際には、口頸部５０に容器蓋２を被嵌して閉方向（図４において上方から見て時計方向）に回転せしめ、口頸部５０の雄螺条５２に容器蓋２の雌螺条１８を螺合せしめる。雄螺条５２に対する雌螺条１８の螺合の進行に応じて容器蓋２は口頸部５０に対して漸次下降する。図４に図示する状態まで口頸部５０に対して容器蓋２が下降せしめられると、容器蓋２の本体４における天面壁８の内面に形成されている内側環状突条１２及び外側環状突条１４が夫々口頸部５０の内周面及び外周面に密接せしめられ、これによって口頸部５０が密封される。容器蓋２のタンパーエビデント裾部６の内周面に配設されている係止片２４ａ乃至２４ｉの各々における主部即ち延出部２６以外の部分は、弾性的に変形して口頸部５０の係止あご部５４よりも下方に位置し、半径方向内側面に形成されている係止突起２８の上面は係止あご部５４の下面に対向して位置する。一方、係止片２４ａ乃至２４ｉの各々における延出部２６は、本体４のスカート壁１０と口頸部５０の係止あご部５４との間に位置し、スカート壁１０の内周面と係止あご部５４の外周面との間に位置している。
【手続補正５】
【補正対象書類名】明細書
【補正対象項目名】００２０
【補正方法】変更
【補正の内容】
【００２０】
口頸部５０を開封する際には、容器蓋２を開方向（図４において上方から見て反時計方向）に回転せしめ、口頸部５０の雄螺条５２に対する容器蓋２の雌螺条１８の螺合を漸次解除する。螺合を漸次解除すると容器蓋２の本体４は開方向に回転せしめられると共に上昇せしめられるが、タンパーエビデント裾部６は係止片２４ａ乃至２４ｉの係止突起２８の上面が口頸部５０の係止あご部５４の下面に係止して上昇が阻止され、これに起因して破断橋絡部４８に相当な応力が生成され、破断橋絡部４８が破断される。しかる後においては、容器蓋２の本体４は開方向への回転と共に上昇し、タンパーエビデント裾部６から上方に漸次離間せしめられる。図４と共に図５を参照することによって明確に理解される如く、タンパーエビデント裾部６から本体４が漸次上方に離間せしめられると、非破断接続片３８ａの第一の傾動部４２ａ及び非破断接続片３８ｂの第二の傾動部４６ｂは夫々の中間部４４ａ及び第二の傾動部４６ｂの下端を中心として図４及び図５において時計方向に旋回、即ち時計方向に傾動され、一方非破断接続片３８ａの第二の傾動片４６ａ及び非破断接続片３８ｂの第一の傾動部４２ｂは夫々の下端及び上端を中心として図４及び図５において反時計方向に旋回、即ち反時計方向に傾動され、これに応じて非破断接続片３８ａ及び３８ｂにおける第一の傾動部４２ａ及び４２ｂ並びに第二の傾動部４６ａ及び４６ｂの鉛直線に対する傾斜角度が漸次低減される。図４及び図５と共に図６を参照することによって明確に理解される如く、口頸部５０の雄螺条５４に対する容器蓋２の雌螺条１８の螺合が完全に解除されると、容器蓋２の本体４は口頸部５０から離脱される。しかしながら、本体４は非破断接続片３８ａ及び３８ｂを介して、口頸部５０に装着され続けているタンパーエビデント裾部６に接続され続けている故に、容器の口頸部５０から離間されることはない。
【手続補正６】
【補正対象書類名】明細書
【補正対象項目名】００２１
【補正方法】変更
【補正の内容】
【００２１】
容器蓋２の本体４が口頸部５０から離脱された後においては、非破断接続片３８ａ及び３８ｂの中間部４４ａ及び４４ｂを旋回支点として本体４を口頸部５０から遠ざかる方向（図６において時計方向）に旋回する。この際、図６に示すとおり、突出片３４は、その延出端が係止片２４ａ及び２４ｉの片側部（係止片２４ａにおいては図３において左側部、係止片２４ｉにおいては図３において右側部）に当接し、弾性的に変形して係止片２４ａ及び２４ｉの外側面に沿って上昇し、次いで係止片２４ａ及び２４ｉの延出部２６（係止片２４ａにおいては図３において左側の延出部２６、係止片２４ｉにおいては図３において右側の延出部２６）の外側面における円弧状の部位２６ａに沿って上昇する。しかる後に、突出片３４は延出部２６の円弧状の部位２６ａを乗り越え、図７及び図８に図示する如く、弾性的に復元して外側面が延出部２６の直線状の部位２６ｂに面接触状態で当接せしめられる。かくして容器蓋２の本体４は図７及び図８に図示する開位置に確実に保持される。また、突出片３４が延出部２６の円弧状の部位２６ａを乗り越えて弾性的に復元される際には音が生成される。本発明に従って構成された容器蓋２においては、本体４の突出片３４は口頸部５０の係止あご部５４に直接的に作用するのではなくて、口頸部５０の係止あご部５４の外側に位置する係止片２４ａ及び２４ｉの延出部２６に作用するので、開位置まで旋回された本体４は確実に開位置に保持される。突出片３４が偶発的に延出部２６の直線状の部位２６ｂを乗り越え、本体４が図７及び図６において反時計方向に旋回されてしまうことはない。また、突出片３４が延出部２６の円弧状の部位２６ａを乗り越えて弾性的に復元する際には充分に大きく消費者が聴取することができる音が生成される。
【手続補正７】
【補正対象書類名】明細書
【補正対象項目名】００２２
【補正方法】変更
【補正の内容】
【００２２】
内容物の飲食を途中で中断した場合には、図７に図示する位置に保持されている本体４を口頸部５０に接近する方向（図６及び図７において反時計方向）に強制的に旋回せしめて再び口頸部５０に被嵌し、そして容器蓋２を閉方向に回転せしめて口頸部５０の雄螺条５２に容器蓋２の雌螺条１８を螺合せしめ、かくして容器蓋２を再び図４に図示する状態に位置せしめ、口頸部５０を仮密封することができる。
【手続補正８】
【補正対象書類名】明細書
【補正対象項目名】００２４
【補正方法】変更
【補正の内容】
【００２４】
２：容器蓋
４：本体
６：タンパーエビデント裾部
８：天面壁
１０：スカート壁
１８：雌螺条
２２：係止手段
２４ａ：係止片
２４ｂ：係止片
２４ｃ：係止片
２４ｄ：係止片
２４ｅ：係止片
２４ｆ：係止片
２４ｇ：係止片
２４ｈ：係止片
２４ｉ：係止片
２６：延出部
３４：突出片
３８ａ：非破断接続片
３８ｂ：非破断接続片
４８：破断橋絡部
５０：口頸部
５２：雄螺条
５４：係止あご部
【手続補正書】
【提出日】令和2年5月28日(2020.5.28)
【手続補正１】
【補正対象書類名】特許請求の範囲
【補正対象項目名】請求項１
【補正方法】変更
【補正の内容】
【請求項１】
口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断橋絡部を介して該本体の該スカート壁に接続され、内周面には該係止あご部に係止せしめられる係止手段が配設されている筒状タンパーエビデント裾部とを含み、該係止手段は周方向に間隔をおいて配設され且つ該タンパーエビデント裾部に接続された基端から上方及び半径方向内方に延出する複数個の係止片又は周方向に連続して延在し且つ該タンパーエビデント裾部に接続された基端から上方及び半径方向内方に延出する環状の係止片から構成されており、該本体の該スカート壁には下方に突出する突出片が配設されており、そして更に該本体のスカート壁と該タンパーエビデント裾部とを接続し且つ該タンパーエビデント裾部に対する該本体の上方への移動を許容する非破断接続片が配設されている合成樹脂製容器蓋において、
少なくとも該突出片が存在する角度領域の該係止片の先端には上方に延びる延出部が形成されており、該突出片が存在する角度領域に形成された該延出部は該口頸部に合成樹脂製容器蓋が装着された状態において該口頸部の該係止あご部と該突出片との間に位置する、ことを特徴とする合成樹脂製容器蓋。
【手続補正２】
【補正対象書類名】明細書
【補正対象項目名】０００３
【補正方法】変更
【補正の内容】
【０００３】
上記のとおりの容器蓋を容器の口頸部に装着して口頸部を密封する際には、口頸部に容器蓋を被嵌して閉方向に回転し、容器蓋の雌螺条を口頸部の雄螺条に螺合せしめる。螺合の進行に応じて口頸部に対して容器蓋が下降され、タンパーエビデント裾部に形成されている係止手段は口頸部の係止あご部を弾性的に乗り越えてその下方に位置せしめられる。口頸部を開封する際には、容器蓋を開方向に回転せしめて口頸部の雄螺条と容器蓋の雌螺条との螺合を解除する。螺合の解除に応じて容器蓋の本体は口頸部に対して上昇されるが、タンパーエビデント裾部は係止手段が口頸部の係止あご部に係止することによって上昇が阻止され、従って破断橋絡部に応力が生成され破断橋絡部が破断される。破断橋絡部が破断された後に本体が上昇を続け、タンパーエビデント裾部から本体が上方に離隔されると、これに応じて非破断接続片が変形せしめられるが、非破断接続片が破断されることはなくタンパーエビデント裾部は口頸部に装着され続け、本体が口頸部から離脱された後においても本体は非破断接続片を介してタンパーエビデント裾部に接続させ続け、従って容器の口頸部から分離されることはない。容器蓋の本体が口頸部から離脱された後においては、非破断接続片の所定部位を旋回中心として容器蓋の本体が口頸部から離隔する方向に旋回される。そして、容器蓋の本体が所定角度を超えて旋回されると、スカート壁に形成されている突出片の先端部が口頸部の係止あご部を弾性的に乗り越えて係止あご部の上面側に位置し、これによって本体が口頸部に接近する方向に戻ることが阻止され、本体は口頸部から離隔した位置に保持され、口頸部が開封された状態に維持させる。突出片の先端部が係止あご部を弾性的に乗り越える際には、突出片が弾性的に変形し次いで弾性的に復元することに起因して音が発生され、これによって消費者は容器蓋の本体が所要開位置まで旋回されたことを認識することができる。
【手続補正３】
【補正対象書類名】明細書
【補正対象項目名】０００８
【補正方法】変更
【補正の内容】
【０００８】
即ち、本発明によれば、上記主たる技術的課題を達成する容器蓋として、
口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断橋絡部を介して該本体の該スカート壁に接続され、内周面には該係止あご部に係止せしめられる係止手段が配設されている筒状タンパーエビデント裾部とを含み、該係止手段は周方向に間隔をおいて配設され且つ該タンパーエビデント裾部に接続された基端から上方及び半径方向内方に延出する複数個の係止片又は周方向に連続して延在し且つ該タンパーエビデント裾部に接続された基端から上方及び半径方向内方に延出する環状の係止片から構成されており、該本体の該スカート壁には下方に突出する突出片が配設されており、そして更に該本体のスカート壁と該タンパーエビデント裾部とを接続し且つ該タンパーエビデント裾部に対する該本体の上方への移動を許容する非破断接続片が配設されている合成樹脂製容器蓋において、
少なくとも該突出片が存在する角度領域の該係止片の先端には上方に延びる延出部が形成されており、該突出片が存在する角度領域に形成された該延出部は該口頸部に合成樹脂製容器蓋が装着された状態において該口頸部の該係止あご部と該突出片との間に位置する、ことを特徴とする合成樹脂製容器蓋が提供される。
【手続補正４】
【補正対象書類名】明細書
【補正対象項目名】００１０
【補正方法】変更
【補正の内容】
【００１０】
本発明の容器蓋においては、突出片が存在する角度領域において、係止片の先端には口頸部に合成樹脂製容器蓋を装着した状態において口頸部の係止あご部と突出片との間に位置する延出部が形成されており、口頸部から離脱された本体が口頸部から離隔する方向に旋回される際には、突出片の先端部は口頸部の係止あご部と共にその半径方向外側に位置する延出部を弾性的に乗り越えることが必要であり、突出片の先端部は延出部によって干渉される。容器蓋の軸線方向長さが比較的短い場合でも、突出片の先端部と延出部の干渉が過小になることはなく、それ故に突出片の先端部が一旦係止あご部の上側になった後に偶発的に突出片の先端部が係止あご部の下側に戻ってしまうことが充分確実に防止され、容器蓋は所要開位置に充分確実に維持され、そしてまた、突出片が延出部を弾性的に乗り越える際には消費者が聴取することができる音が確実に発生される。
【手続補正５】
【補正対象書類名】明細書
【補正対象項目名】００１１
【補正方法】変更
【補正の内容】
【００１１】
【図１】本発明に従って構成された構成された容器蓋の好適実施形態を示す正面図。
【図２】図１に示す容器蓋の一部を断面で示す正面図。
【図３】図１に示す容器蓋の底面図。
【図４】図１に示す容器蓋を容器の口頸部に装着した状態を、一部を断面で示す右側面図。
【図５】図１の容器蓋の本体を容器の口頸部から離脱せしめるために本体を開方向に回転せしめて上昇せしめた開封操作中間状態を示す正面図。
【図６】図１の容器蓋の本体を、口頸部から離脱した後に口頸部から離隔する方向に幾分か旋回せしめた状態を、一部を切り欠いて示す側面図。
【図７】図１の容器蓋の本体を容器の口頸部から離脱した後に口頸部から離隔する方向に所定開位置まで旋回した状態を、一部を切り欠いて示す側面図。
【図８】図７における突出片近傍の拡大図。
【手続補正６】
【補正対象書類名】明細書
【補正対象項目名】００１９
【補正方法】変更
【補正の内容】
【００１９】
口頸部５０に容器蓋２を装着して口頸部５０を密封する際には、口頸部５０に容器蓋２を被嵌して閉方向（図４において上方から見て時計方向）に回転せしめ、口頸部５０の雄螺条５２に容器蓋２の雌螺条１８を螺合せしめる。雄螺条５２に対する雌螺条１８の螺合の進行に応じて容器蓋２は口頸部５０に対して漸次下降する。図４に図示する状態まで口頸部５０に対して容器蓋２が下降せしめられると、容器蓋２の本体４における天面壁８の内面に形成されている内側環状突条１２及び外側環状突条１４が夫々口頸部５０の内周面及び外周面に密接せしめられ、これによって口頸部５０が密封される。容器蓋２のタンパーエビデント裾部６の内周面に配設されている係止片２４ａ乃至２４ｉの各々における主部即ち延出部２６以外の部分は、弾性的に変形して口頸部５０の係止あご部５４よりも下方に位置し、半径方向内側面に形成されている係止突起２８の上面は係止あご部５４の下面に対向して位置する。一方、係止片２４ａ及び２４ｉの各々における延出部２６の片側部（係止片２４ａにおいては図３において左側部、係止片２４ｉにおいては図３において右側部）は、本体４の突出片３４と口頸部５０の係止あご部５４との間に位置し、突出片３４の内周面と係止あご部５４の外周面との間に位置している。
【手続補正７】
【補正対象書類名】明細書
【補正対象項目名】００２０
【補正方法】変更
【補正の内容】
【００２０】
口頸部５０を開封する際には、容器蓋２を開方向（図４において上方から見て反時計方向）に回転せしめ、口頸部５０の雄螺条５２に対する容器蓋２の雌螺条１８の螺合を漸次解除する。螺合を漸次解除すると容器蓋２の本体４は開方向に回転せしめられると共に上昇せしめられるが、タンパーエビデント裾部６は係止片２４ａ乃至２４ｉの係止突起２８の上面が口頸部５０の係止あご部５４の下面に係止して上昇が阻止され、これに起因して破断橋絡部４８に相当な応力が生成され、破断橋絡部４８が破断される。しかる後においては、容器蓋２の本体４は開方向への回転と共に上昇し、タンパーエビデント裾部６から上方に漸次離間せしめられる。図４と共に図５を参照することによって明確に理解される如く、タンパーエビデント裾部６から本体４が漸次上方に離間せしめられると、非破断接続片３８ａの第一の傾動部４２ａ及び非破断接続片３８ｂの第二の傾動部４６ｂは夫々の中間部４４ａ及び第二の傾動部４６ｂの下端を中心として図４及び図５において時計方向に旋回、即ち時計方向に傾動され、一方非破断接続片３８ａの第二の傾動部４６ａ及び非破断接続片３８ｂの第一の傾動部４２ｂは夫々の下端及び上端を中心として図４及び図５において反時計方向に旋回、即ち反時計方向に傾動され、これに応じて非破断接続片３８ａ及び３８ｂにおける第一の傾動部４２ａ及び４２ｂ並びに第二の傾動部４６ａ及び４６ｂの鉛直線に対する傾斜角度が漸次低減される。図４及び図５と共に図６を参照することによって明確に理解される如く、口頸部５０の雄螺条５４に対する容器蓋２の雌螺条１８の螺合が完全に解除されると、容器蓋２の本体４は口頸部５０から離脱される。しかしながら、本体４は非破断接続片３８ａ及び３８ｂを介して、口頸部５０に装着され続けているタンパーエビデント裾部６に接続され続けている故に、容器の口頸部５０から離間されることはない。
【手続補正８】
【補正対象書類名】図面
【補正対象項目名】図４
【補正方法】変更
【補正の内容】
【図４】
2020132181.tif 000011